【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  記憶部と制御部とを有する４色表示装置であって、
前記記憶部は、赤出力制御値Ｒｏ，緑出力制御値Ｇｏ，青出力制御値Ｂｏ，および白出力制御値Ｗｏからなる４色の出力制御値のうち、前記赤出力制御値Ｒｏと前記緑出力制御値Ｇｏと前記青出力制御値Ｂｏの各最大出力制御値での白色発光輝度Ｌ１、および、前記白出力制御値Ｗｏの最大出力制御値での発光輝度Ｌ２を記憶しており、
前記制御部は、以下のように前記４色の出力制御値を制御する：
赤画素値Ｒｉ，緑画素値Ｇｉ，青画素値ＢｉからなるＲＧＢ３原色カラー画像の画素入力値のうちで最も小さい値Ｉｍｉｎを（Ｌ２／（Ｌ１＋Ｌ２））で除算した商と、最大出力制御値Ｃｍａｘとを比較して、小さい方を前記白出力制御値Ｗｏとして出力し、
前記赤出力制御値Ｒｏを
【数１】
2004286814.tif 000001
で、
前記緑出力制御値Ｇｏを
【数２】
2004286814.tif 000002
で、
前記青出力制御値Ｂｏを
【数３】
2004286814.tif 000003
で求め、
求められた前記赤出力制御値Ｒｏ、前記緑出力制御値Ｇｏ、前記青出力制御値Ｂｏのいずれかが出力可能領域外の値になっている場合には、可能領域内の値に丸め込む処理を行う、４色表示装置。
【請求項２】  前記丸め込む処理は、
求められた前記赤出力制御値Ｒｏ、前記緑出力制御値Ｇｏ、前記青出力制御値Ｂｏのそれぞれと前記最大出力制御値Ｃｍａｘとを比較して大きい方で前記最大出力制御値Ｃｍａｘを除算して３つの商を得、
前記３つの商の中から最も小さい値、前記赤出力制御値Ｒｏ、前記緑出力制御値Ｇｏ、前記青出力制御値Ｂｏのそれぞれに乗算（３０４）して前記前記赤出力制御値Ｒｏ、前記緑出力制御値Ｇｏ、前記青出力制御値Ｂｏのそれぞれを更新して出力する
ことにより行われる、請求項１に記載の４色表示装置。
【手続補正２】
【補正対象書類名】明細書
【補正対象項目名】０００６
【補正方法】変更
【補正の内容】
【０００６】
【発明が解決しようとする課題】
従来の構成では、カラー画像値ＲＧＢから想定される各画素の輝度に比例した白色を各画素に加えているため画像中の輝度成分のコントラスト比が保たれ、結果として画像の暗黒部が白く浮きあがることは無く全体表示輝度を上昇させることができる。しかし、色度を保持した変換を行って白色を加えても、輝度（無彩色）表示範囲が拡張されたのに反して、有彩度方向については拡張しないことから表示画像の彩度は低下し、結局、薄くくすんだ色の表示となってしまうという課題があった。
【手続補正３】
【補正対象書類名】明細書
【補正対象項目名】０００９
【補正方法】変更
【補正の内容】
【０００９】
【課題を解決するための手段】
上記課題を解決する４色表示装置は、
記憶部と制御部とを有する４色表示装置であって、
前記記憶部は、赤出力制御値Ｒｏ，緑出力制御値Ｇｏ，青出力制御値Ｂｏ，および白出力制御値Ｗｏからなる４色の出力制御値のうち、前記赤出力制御値Ｒｏと前記緑出力制御値Ｇｏと前記青出力制御値Ｂｏの各最大出力制御値での白色発光輝度Ｌ１、および、前記白出力制御値Ｗｏの最大出力制御値での発光輝度Ｌ２を記憶しており、
前記制御部は、以下のように前記４色の出力制御値を制御する：
赤画素値Ｒｉ，緑画素値Ｇｉ，青画素値ＢｉからなるＲＧＢ３原色カラー画像の画素入力値のうちで最も小さい値Ｉｍｉｎを（Ｌ２／（Ｌ１＋Ｌ２））で除算した商と、最大出力制御値Ｃｍａｘとを比較して、小さい方を前記白出力制御値Ｗｏとして出力し、
前記赤出力制御値Ｒｏを
Ｒｏ＝（（Ｌ１＋Ｌ２）／Ｌ１）×（Ｒｉ−（Ｌ２／（Ｌ１＋Ｌ２）×Ｗｏ））で、
前記緑出力制御値Ｇｏを
Ｇｏ＝（（Ｌ１＋Ｌ２）／Ｌ１）×（Ｇｉ−（Ｌ２／（Ｌ１＋Ｌ２）×Ｗｏ））で、
前記青出力制御値Ｂｏを
Ｂｏ＝（（Ｌ１＋Ｌ２）／Ｌ１）×（Ｂｉ−（Ｌ２／（Ｌ１＋Ｌ２）×Ｗｏ））
で求め、
求められた前記赤出力制御値Ｒｏ、前記緑出力制御値Ｇｏ、前記青出力制御値Ｂｏのいずれかが出力可能領域外の値になっている場合には、可能領域内の値に丸め込む処理を行う。
１つの実施形態においては、
前記丸め込む処理は、
求められた前記赤出力制御値Ｒｏ、前記緑出力制御値Ｇｏ、前記青出力制御値Ｂｏのそれぞれと前記最大出力制御値Ｃｍａｘとを比較して大きい方で前記最大出力制御値Ｃｍａｘを除算して３つの商を得、
前記３つの商の中から最も小さい値、前記赤出力制御値Ｒｏ、前記緑出力制御値Ｇｏ、前記青出力制御値Ｂｏのそれぞれに乗算（３０４）して前記前記赤出力制御値Ｒｏ、前記緑出力制御値Ｇｏ、前記青出力制御値Ｂｏのそれぞれを更新して出力する
ことにより行われる。
【手続補正４】
【補正対象書類名】明細書
【補正対象項目名】００１０
【補正方法】変更
【補正の内容】
【００１０】
これにより、最大輝度Ｌ１分の白色成分を加えた場合の４色表示装置の表示可能色の分布形状に最適な４色の出力制御値を生成することができる。
また、ＲＧＢが共に最大画素入力値（Ｒｉmax，Ｇｉmax，Ｂｉmax）に対して、表示出力を４色表示装置の最大白色と一致させ、かつ、任意の画素入力値（Ｒｉ，Ｇｉ，Ｂｉ）に対して、最大白色の増加による表示色の変化を補うように生成される出力制御値Ｒｏ，Ｇｏ，Ｂｏを制御することができる白出力制御値Ｗｏを生成することができる。
さらに、全ての最大画素入力値（Ｒｉmax，Ｇｉmax，Ｂｉmax）に対して表示出力を４色表示装置の最大白色と一致させ、かつ、３原色表示装置で表示した場合と同等に視覚できる４色表示装置での画像表示を可能にする４色の出力制御値を生成することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】変更
【補正の内容】
【００３２】
【発明の実施の形態】
以下、本発明の実施の形態について、図を用いて説明する。
【手続補正２７】
【補正対象書類名】明細書
【補正対象項目名】００５２
【補正方法】変更
【補正の内容】
【００５２】
係数メモリ２０４は、４色表示装置の内部定数を格納するメモリであり、出力制御値のビット数で決定される最大出力制御値（’２５５’とする。）と、あらかじめ算出しておいた演算係数Ｌ２／（Ｌ１＋Ｌ２）と（Ｌ１＋Ｌ２）／Ｌ１とを記憶している。ここで、Ｌ１、及びＬ２は、４色表示装置が構成された時点で定まる定数であり、Ｌ１は４原色表示デバイスの出力制御値Ｒｏ，Ｇｏ，Ｂｏの内の最大出力制御値での発光輝度であり、Ｌ２は白色制御値Ｗｏの最大出力制御値での発光輝度である。この係数メモリ２０４は記憶部に相当する。
【手続補正２８】
【補正対象書類名】明細書
【補正対象項目名】００５７
【補正方法】変更
【補正の内容】
【００５７】
Imin'=｛Imin×(L1＋L2)｝／L2        （８）
その後、ＬＴ比較器２０２にて最大出力制御値（”２５５”）と比較され、小さい方の値が白出力制御値Ｗｏとなる。これにより、白出力制御値Ｗｏは原色表示デバイスの出力可能領域内に制限される。
【手続補正２９】
【補正対象書類名】明細書
【補正対象項目名】００６６
【補正方法】変更
【補正の内容】
【００６６】
除算器３０１はＧＴ比較器３０２の出力を係数メモリ２０４に記憶されている最大出力制御値で除算する。
【手続補正３０】
【補正対象書類名】明細書
【補正対象項目名】００６７
【補正方法】変更
【補正の内容】
【００６７】
ここで、４色の画像入力値Ｒｉ、Ｇｉ、Ｂｉのビット精度を８ヒ゛ットとし、最大出力制御値を２５５、発光輝度Ｌ１とＬ２を共に２５５ｃｄ／ｍ2として具体的に解説する。なお、４色表示装置が出力制御値Ｒｏ、Ｇｏ、Ｂｏの最大値で発光したときに得られる白色の色度と、上記の白色制御値Ｗｏの最大値で発光したときの白色の色度とが一致しているものとする。これにより、白色制御値Ｗｏは次のように求められる。
【手続補正３１】
【補正対象書類名】明細書
【補正対象項目名】００７０
【補正方法】変更
【補正の内容】
【００７０】
本実施の形態においては、全ての画素入力値Ｒｉ、Ｇｉ、Ｂｉが最大出力制御値”２５５”であった場合、白色発光輝度はＬ１とＬ２の加算となるので、５１０ｃｄ／ｍ2（＝２５５＋２５５）となり、これが最大白色発光輝度となる。
【手続補正３２】
【補正対象書類名】明細書
【補正対象項目名】００８０
【補正方法】変更
【補正の内容】
【００８０】
本実施の形態では、４色表示装置が出力制御値Ｒｏ、Ｇｏ、Ｂｏの最大値で発光したときに得られる白色の色度と、白色制御値Ｗｏの最大値で発光する白色の色度とが一致しているため３色表示装置での最大出力制御値での白色発光Ｗ3ｍａｘ４０４と最大白色制御値の白色発光Ｗ4ｍａｘは同一線上にあり、白色発光Ｗ4ｍａｘは白色発光Ｗ3ｍａｘの２倍の輝度となる。
【手続補正３３】
【補正対象書類名】明細書
【補正対象項目名】００８４
【補正方法】変更
【補正の内容】
【００８４】
すなわち、係数メモリ８０２は画素入力値が全て表示可能となるように設定するための係数Ｐを保持しており、仮想白出力制御値の係数となる。また、除算器２０５や乗算器２０６、２０８で使用する係数として、白出力制御値Ｗｏの最大値での発光輝度Ｌ２の代わりに仮想白色輝度LPを使用している。
【手続補正３４】
【補正対象書類名】明細書
【補正対象項目名】００９３
【補正方法】変更
【補正の内容】
【００９３】
また、表示可能領域の外である例えば点Ｑ５０３の画素入力値（Ｒｉ，Ｇｉ，Ｂｉ)＝（２５５，１９２，６４）は、（式１）乃至（式３）により制御値(Ｒｏ，Ｇｏ，Ｂｏ，Ｗｏ)＝（３８２，２５６，０，１２８）に変換される。しかし、赤色出力制御値Ｒｏは最大出力制御値２５５を超えるため色域外処理を行い、点Ｒ５０４(Ｒｏ，Ｇｏ，Ｂｏ，Ｗｏ)＝（２５５，１７０．８９，０，１２８）に変換する。この点Ｒ５０４（Ｒｏ，Ｇｏ，Ｂｏ，Ｗｏ)＝（２５５，１７０．８９，０，１２８）の表示する色は、白色成分を除いた有彩色を形成する原色比率２５５：１７０．８９：０が入力値（Ｒｉ，Ｇｉ，Ｂｉ)＝（２５５，１９２，６４）から白色成分を引いた後の有彩色成分の比率１９１：１２８：０と等しく、色相（色味）は変化していない。
【手続補正３５】
【補正対象書類名】明細書
【補正対象項目名】０１０９
【補正方法】変更
【補正の内容】
【０１０９】
すなわち、出力制御値Ｗｏは、まず仮想出力制御値Ｗｏ*を以下の（式１７）で求め、仮想出力制御値Ｗｏ*が最大出力制御値以上の場合には最大制御値を仮想出力制御値Ｗｏ*とする。
【手続補正３６】
【補正対象書類名】明細書
【補正対象項目名】０１１１
【補正方法】変更
【補正の内容】
【０１１１】
Wo=Wo*×P
また、出力制御値Ｒｏ、Ｇｏ、Ｂｏについては、（式１８）乃至（式２０）で求め、最大出力制御値を超える場合には色域外処理を実施することになる。
【手続補正３７】
【補正対象書類名】図面
【補正対象項目名】図２
【補正方法】変更
【補正の内容】
【図２】
2004286814.tif 000004
【手続補正３８】
【補正対象書類名】図面
【補正対象項目名】図３
【補正方法】変更
【補正の内容】
【図３】
2004286814.tif 000005